(57)【要約】      （修正有）【課題】補修が容易な木製の手提げかばんを提供する。【解決手段】手提げかばん１０は、少なくとも前胴を含む部分を形成する木製の第１の形成部１２２と、少なくとも後胴を含む部分を形成する木製の第２の形成部１２４と、第１の形成部１２２と第２の形成部１２４とを連結する連結紐１２８と、を備える。連結紐１２８の結び目は、第１の形成部１２２及び第２の形成部１２４によって少なくとも構成される胴１２の内側に配置されている。【選択図】図１
0003208633.tif 000002
【実用新案登録請求の範囲】
【請求項１】
少なくとも前胴を含む部分を形成する木製の第１の形成部と、
少なくとも後胴を含む部分を形成する木製の第２の形成部と、
前記第１の形成部と前記第２の形成部とを連結する連結紐と、を備えた手提げかばん。
【請求項２】
請求項１記載の手提げかばんにおいて、
前記連結紐の結び目が、前記第１の形成部及び前記第２の形成部によって少なくとも構成される胴の内側に配置されている手提げかばん。
【請求項３】
請求項２記載の手提げかばんにおいて、
前記胴の内側に収まる内袋を更に備えた手提げかばん。
【考案の詳細な説明】
【技術分野】
【０００１】
本考案は、手提げかばんに関する。
【背景技術】
【０００２】
特許文献１には、木製バッグが記載されている。この木製バッグは、可とう性材料からなる上部胴部材と木製の下部胴部材とを接合した胴部を有している。
【０００３】
特許文献２には、木製ハンドバッグが記載されている。この木製ハンドバッグは、上部を開口した筒状の木製ハンドバッグ本体と、その上部開口部から中空内部に装着される引き出しと、木製ハンドバッグ本体の側壁に取り付けた吊紐とを備え、木製ハンドバッグ本体の上部開口部から、木製ハンドバッグ本体の内部のほぼ全体に引き出しを挿脱自在に取り付けたことを特徴としている。
【先行技術文献】
【特許文献】
【０００４】
【特許文献１】特開２００８−３０２１６７号公報
【特許文献２】実用新案登録第３０６２５５２号公報
【考案の概要】
【考案が解決しようとする課題】
【０００５】
本考案は、補修が容易な木製の手提げかばんを提供することを目的とする。
【課題を解決するための手段】
【０００６】
前記目的に沿う本考案に係る手提げかばんは、少なくとも前胴を含む部分を形成する木製の第１の形成部と、
少なくとも後胴を含む部分を形成する木製の第２の形成部と、
前記第１の形成部と前記第２の形成部とを連結する連結紐と、を備える。
【０００７】
本考案に係る手提げかばんにおいて、
前記連結紐の結び目が、前記第１の形成部及び前記第２の形成部によって少なくとも構成される胴の内側に配置されていることが好ましい。
【０００８】
本考案に係る手提げかばんにおいて、
前記胴の内側に収まる内袋を更に備えていてもよい。
【考案の効果】
【０００９】
本考案によれば、補修が容易な木製の手提げかばんを提供できる。
【図面の簡単な説明】
【００１０】
【図１】（Ａ）、（Ｂ）は本考案の一実施の形態に係る手提げかばんの外観図であって、それぞれ、内袋の蓋を閉じた状態及び開けた状態を示す外観図である。
【図２】同手提げかばんの分解図である。
【図３】（Ａ）、（Ｂ）はそれぞれ、同手提げかばんの正面図及び右側面図である。
【図４】（Ａ）、（Ｂ）はそれぞれ、同手提げかばんの平面図及び底面図である。
【考案を実施するための形態】
【００１１】
続いて、添付した図面を参照しつつ、本考案を具体化した実施の形態につき説明し、本考案の理解に供する。なお、図において、説明に関連しない部分は図示を省略する場合がある。
【００１２】
本考案の一実施の形態に係る手提げかばん１０は、図１〜図４に示すように、上方が開口した胴１２、内袋１４、及び持ち手１６を備えている。
なお、背面図は、図３（Ａ）に示す正面図と対称に表れる。また、左側面図は、図３（Ｂ）に示す右側面図と対称に表れる。
【００１３】
胴１２は、木製の第１の形成部１２２及び木製の第２の形成部１２４を有している。第１の形成部１２２及び第２の形成部１２４は、それぞれ木製であり、例えばモンキーポッドである。
胴１２の横マチの幅は、側面から見ると、上方に向かうに従ってわずかに狭くなっている。すなわち、図３（Ｂ）に示す横マチの上部の寸法Ｄ２が、下部の寸法Ｄ１よりも小さくなっている。胴１２の横マチの外形だけでなく、胴１２の内部の空間の幅（横マチの内側の内部寸法）についても同様に上方に向かうに従ってわずかに狭くなっている。
【００１４】
第１の形成部１２２は、図２に示すように、少なくとも前胴１２２ａを含む部分を形成する。詳細には、第１の形成部１２２は、前胴１２２ａ、横マチの前胴側１２２ｂ、及び底マチの前胴側１２２ｃ（図４（Ｂ）参照）により構成されている。第１の形成部１２２の厚みは、例えば４〜６ｍｍである。
第１の形成部１２２の各横マチの前胴側１２２ｂの縁部には、図２に示すように、上下方向に間隔を空けて複数の孔Ｈ２が形成されている。
第１の形成部１２２の底マチの前胴側１２２ｃの外側（底側）の両端部には、それぞれ底鋲１２６（図４（Ｂ）参照）が設けられている。
【００１５】
第２の形成部１２４は、図２に示すように、少なくとも後胴１２４ａを含む部分を形成する。詳細には、第２の形成部１２４は、後胴１２４ａ、横マチの後胴側１２４ｂ、及び底マチの後胴側１２４ｃ（図４（Ｂ）参照）により構成されている。第２の形成部１２４の厚みは、例えば４〜６ｍｍである。
第２の形成部１２４の各横マチの後胴側１２４ｂの縁部には、図２に示すように、上下方向に間隔を空けて複数の孔Ｈ４が形成されている。
第２の形成部１２４の底マチの後胴側１２４ｃの外側（底側）の両端部には、それぞれ底鋲１２６（図４（Ｂ）参照）が設けられている。
【００１６】
第１の形成部１２２及び第２の形成部１２４は、図２に示す孔Ｈ２、Ｈ４を通る連結紐１２８（図１（Ａ）参照）によって連結されている。なお、第１の形成部１２２及び第２の形成部１２４の対向する端面には、隙間を埋めるシールとして機能する弾性部材（不図示）が挟み込まれる。弾性部材は、例えばゴムである。
【００１７】
内袋１４は、直方体状の布袋であり、その大きさは第１の形成部１２２及び第２の形成部１２４の内側に収まるように設定されている。内袋１４は、上方に引きぬくことで胴１２から容易に取り外すことができる。図１（Ｂ）に示すように、内袋１４の上部には、それぞれ前胴１２２ａの側及び後胴１２４ａの側に開く２つの蓋部１４２が設けられている。
【００１８】
持ち手１６は、例えば革製の編み紐であり、図３（Ａ）に示すように、前胴１２２ａの上部及び後胴１２４ａの上部にそれぞれ設けられたカン１８を介して取り付けられている。
【００１９】
次に、手提げかばん１０の製造方法について説明する。なお、以下に示す手順は、可能な場合は、順番が入れ替わって実行されてもよいし、並行して実行されてもよい。
【００２０】
まず、例えばモンキーポッド等の木のブロック（不図示）を十分に乾燥させる。
次に、乾燥させた木のブロックを環状に現れた年輪の中央部にて左右半分に分割する。分割したブロックをそれぞれくり抜き、孔Ｈ２、Ｈ４（図２参照）を開けて第１の形成部１２２及び第２の形成部１２４を形成する。第１の形成部１２２及び第２の形成部１２４には、それぞれ底鋲１２６（図３（Ｂ）参照）を取り付ける。
このように、第１の形成部１２２及び第２の形成部１２４は、１つの木のブロックから形成されるので、第１の形成部１２２及び第２の形成部１２４の連結部分の木目がつながり、木目の美しさを際立たせることができる。
【００２１】
次に、第１の形成部１２２及び第２の形成部１２４の端面をそれぞれ対向させ、シールとして機能する弾性部材（不図示）を挟み込んで組み合わせる。第１の形成部１２２及び第２の形成部１２４を組み合わせた状態で、孔Ｈ２、Ｈ４にそれぞれ連結紐１２８を通し、第１の形成部１２２及び第２の形成部１２４を互いに連結することにより、第１の形成部１２２及び第２の形成部１２４よって少なくとも構成された胴１２が形成される。なお、連結紐１２８の結び目は、胴１２の内側となるように配置される。
最後に、カン１８を用いて持ち手１６を取り付け、予め製作された内袋１４を上方から挿入することによって、木製の手提げかばん１０が製造される。
【００２２】
以上説明したように、手提げかばん１０は、第１の形成部１２２及び第２の形成部１２４が連結紐１２８によって連結された簡素な構成となっているので、補修が容易である。
【００２３】
以上、本考案の実施の形態を説明したが、本考案は、上記した形態に限定されるものでなく、要旨を逸脱しない条件の変更等は全て本考案の適用範囲である。
【符号の説明】
【００２４】
１０  手提げかばん
１２  胴
１４  内袋
１６  持ち手
１８  カン
１２２  第１の形成部
１２２ａ  前胴
１２２ｂ  横マチの前胴側
１２２ｃ  底マチの前胴側
１２４  第２の形成部
１２４ａ  後胴
１２４ｂ  横マチの後胴側
１２４ｃ  底マチの後胴側
１２６  底鋲
１２８  連結紐
１４２  蓋部
Ｈ２、Ｈ４  孔
【図１】
0003208633.tif 000003
【図２】
0003208633.tif 000004
【図３】
0003208633.tif 000005
【図４】
0003208633.tif 000006